(57)【特許請求の範囲】
【請求項１】
温度スイッチであって、スナップ・スイッチを有し、スナップ・スイッチがスイッチ・バネを有し、流体によってスナップ・スイッチのスイッチ・バネに作用する膨張要素を有し、膨張要素が温度感受性であって温度変化を機械的な移動に変換し、膨張要素がレバー機構（３０）である力伝達手段を介してスナップ・スイッチのスイッチ・バネに作用し、スイッチ・バネのための過負荷防止手段を具備し、過負荷防止手段が、少なくとも１つのショック・アブソーバを有し、少なくとも１つのショック・アブソーバが力伝達手段と協働して、スイッチング・ポイントにおけるスイッチ・バネの作動力に関する限界の力を超えて少なくとも１つのショック・アブソーバが形状変更され、力伝達手段が、少なくとも１つのレバー（４０）を具備したレバー機構（３０）を有し、少なくとも１つのレバー（４０）が、ナイフ・エッジ軸受けの様式で２つの側部のうちの一方の側部において支持されていて、及びスイッチ・バネ（２１）に作用するレバー・アーム（４６）を有し、力伝達手段及びショック・アブソーバが、１つの単一の部品の構造ユニットを形成している、温度スイッチ。
【請求項２】
レバー（４０）が、スイッチ・バネ（２１）の点状の作動ポイント（４７）に作用する、請求項１に記載の温度スイッチ。
【請求項３】
ストッパ部材（２３）が設けられていて、ストッパ部材にレバー（４０）が直接に支持されている、請求項１又は２に記載の温度スイッチ。
【請求項４】
ショック・アブソーバが、バネの方向において自己拘束性の少なくとも１つのプレテンションが掛ったバネ要素を含んでいる、請求項１〜３のいずれか１項に記載の温度スイッチ。
【請求項５】
自己拘束性のバネ要素（４１）が、レバーに固定されている、請求項４に記載の温度スイッチ。
【請求項６】
ショック・アブソーバと、力伝達手段との構造ユニットが、バネ薄板金湾曲部分として構成されている、請求項１に記載の温度スイッチ。
【請求項７】
膨張ユニットが、温度液圧膨張システムのダイアスタット（５、７１）を有し、あるいは、温度スイッチの組立て状態においてショック・アブソーバ及び力伝達手段の構造ユニットとまとまりのない状態で係合接触している、請求項１〜６のいずれか１項に記載の温度スイッチ。
【請求項８】
ショック・アブソーバ−力伝達手段の構造ユニットが、膨張ユニットに対して電気的に絶縁されている、請求項１〜７のいずれか１項に記載の温度スイッチ。
【請求項９】
絶縁体（３２、６９）が、前記構造ユニットに固定されていたり、絶縁体（８５）が、温度スイッチのケーシングに対して可動式に取付けられている、請求項８に記載の温度スイッチ。
【発明の詳細な説明】
【０００１】
【発明の属する技術分野】
本発明は、請求項１の前文に記載した温度スイッチ、特に調節可能な温度調節器である温度スイッチに関するものである。
【０００２】
前記温度スイッチは、力即ち動力の伝達手段によってスナップ・スイッチのスイッチ・バネの上において機能するように成した、温度感受性膨張要素を有する。前記スイッチ・バネのための過負荷安全装置も存在する。前記過負荷安全装置は、前記膨張要素と前記スイッチ・バネの間において前記力伝達手段と共に協働して、特には前記力伝達手段の力の流れの中に設置されるように成した、少なくとも１つのショック・アブソーバ即ちバッファを有する。前記ショック・アブソーバは、スイッチ・ポイントにおける前記スイッチ・バネの作動力に関連する限界の力の上では寸法が変更可能であり即ち可撓性であるが、前記温度限界の下では実質的に柔軟性を欠くものであり即ち剛直である。
【０００３】
【従来の技術】
そのような温度スイッチは、ドイツ特許公開１９６ ２７ ９６９号から公知である。それは、力伝達手段即ち力を伝達する力伝達要素として機能するロッカーを有するものであり、前記ロッカーは、挿入されたショック・アブソーバ要素を使用する温度液圧膨張システムの膨張カプセル即ちダイアスタットによって操作され、前記スナップ・バネの上において機能する。前記ショック・アブソーバ要素は、相互に係合する２つのカップ形状の２分割部分によって形成される閉鎖カプセルを含んで成り、それらの２分割部分の間において、圧縮バネがプレテンションを掛けられる。前記ショック・アブソーバは、完全に剛直な様式において所定の力の範囲内における前記ダイアスタットのスイッチング力を伝達するものであり、前記スナップ・バネの作動は、前記力の範囲内で行われるが、それは、可撓的なものであり、その力の範囲を超過する過負荷と共に伸縮的に摺動する。３部分式ショック・アブソーバ要素の金属カプセルの一方の２分割部分は、固定的な様式で前記ダイアスタットに対して取り付けられる。前記温度調節器の取付けの間に、前記バネが挿入され、プレテンションを産み出すべく、それは、もう一方のカプセル部分の支援を受けて圧縮され、それらのカプセル部分は、爪に被せて曲げることによって相互に接続される。前記膨張要素に対して取り付けられた前記ショック・アブソーバ要素は、更なる取付けの間に、操作レバーの上に取り付けられる。このシステムは、申し分のない様式で機能するが、特に設置即ち取付けに関して、非常に複雑な製品を有するものである。
【０００４】
【発明が解決しようとする課題】
本発明の課題は、安価に製造されて容易に組み立てられ得るように成した、上述の形式の温度スイッチを提供することである。
【０００５】
【課題を解決するための手段】
この課題は、請求項１の特徴を有する温度スイッチによって解決される。
【０００６】
【発明の実施の形態】
本発明に拠れば、前記ショック・アブソーバ及び前記力伝達手段は、クッション付き力伝達ユニットと呼ばれる標準ユニットを構成するものであり、即ち、前記標準ユニットは、前記膨張要素と前記スイッチ・バネの間における力伝達の関数と前記ショック・アブソーバの関数との両者を結合させ、その力の限界の下では剛直な力伝達要素として機能するが、その力の限界の上では前記力の伝達に対して所定の柔軟性を導入するのである。本発明は、負荷従属的にクッション処理され即ち減衰される力伝達ユニット及びサブアセンブリとしてのスナップ・スイッチによって本質的に形成される完成したスナップ作用機構を、例えば前記温度スイッチの基部に対して且つ前記膨張システムから独立して事前取付けすることを可能にする。更なる設置の目的に関して、前記膨張要素を含んで成る前記サブアセンブリは、前記膨張要素と前記スナップ作用機構の間に締付けを設ける必要なしに、取り付けられて任意選択的に調節されることが可能である。前記ショック・アブソーバによって形成される超過圧力保護装置を前記力伝達手段の中に組み込むことの結果として、そのような温度スイッチに関して市販の標準的な膨張要素を利用することが可能になる。何故なら、前記完成した装置が、過負荷保護の目的のために、前記スナップ作用機構の中に、特には前記スイッチ・バネを作動させる前記力伝達手段の中に組み込まれるからである。加えて、クッション付き力伝達ユニットの場合、ショック・アブソーバと力伝達手段の相対的な位置は、前記温度スイッチの組立てに先立って固定されるものであり、それが、幾何学的形状によって生じるスイッチングの不正確さを最小限にすることを可能にする。
【０００７】
１つの好適な実施例では、前記力伝達手段は、少なくとも１つのレバーを備えたレバー機構を有し、前記レバーは、好ましくはナイフ・エッジ軸受けの様式で一方の側面において支持され、及び／又はレバー・アームを有し、前記レバー・アームは、好ましくは点状接触して前記スイッチ・バネの上において機能する。レバーは、その力の伝達が有効レバー長さに関して選択され得るように成した、単純な力伝達要素である。力の伝達は、１：１で生じ得るものであるが、好適には、力を増大させるか又は力を減少させる様式で機能する。伝達レバーは、前記スナップ・バネの感度を増大させるために使用されることが可能である。特に単純な実施例は、前記レバーは、スイッチ・バネ支持体の上に被せられ、そこで支持されるものであるか、或いは、前記スイッチ・バネ支持体の凹部の中において又は例えばスイッチ基部の独立した凹部の中において案内されることが可能であるように成した、実質的にＬ字形のレバーを備えて達成される。
【０００８】
スイッチ・バネの超過圧力を特に有効に防止する１つの実施例は、ストッパ部材が設けられ、前記ストッパ部材の上では、前記スイッチ・バネに関する前記スイッチング・ポイントを克服した後に前記スイッチ・バネの上において機能する詳細には前記レバー・アームである前記レバーが、好ましくは直接に支持されるように成して、特徴付けられる。前記支持体は、所望のスイッチング・プロセスが行われた後において、且つ、前記バネの弾性範囲が超過されてしまって、後者が、起こり得る超過圧力及びその結果として生じる塑性変形によって永久的に損傷され得ることになる十分な前において、前記レバーの運動を終了させることが可能である。前記ストッパ部材は、好ましくは、スイッチ・バネ支持体の突起によって、特にはそのスイッチ・タング・アバットメントによって形成される。しかしながら、前記スイッチ基部の突起即ち部分によって前記ストッパ部材を形成することもまた可能であり、及び／又は、前記ストッパ部材によって通路を限定されるレバー・アームの上において、或いは前記レバーの上における所定のその他のポイントにおいて支持機能を果たすことになる独立した出っ張り即ちショルダを設けることも任意選択的に実行可能である。前記レバーがその停止位置に到達してしまって、前記膨張要素が更に膨張すると、前記力の伝達の前記ショック・アブソーバは、前記膨張要素及び前記残りの温度スイッチ機構のための超過圧力の保護を形成することにもなる。例えばドイツ特許出願１９６ ２７ ９６９号に従ったもののように、前記序文に従った温度スイッチにおける前記レバーに対して直接のストッパ部材を設けることもまた可能である。
【０００９】
前記力の伝達において特に少数の能動的な構成要素を有するものであり、結果として故障しにくいように成した１つの実施例は、前記ショック・アブソーバが、特には膨張方向であるバネ方向においてプレテンションが掛った自己拘束的即ち自己限定的である少なくとも１つのバネ要素を含んで成るように成して、特徴付けられる。従って、前記バネの撓みを制限するためには、前記バネから独立した構成要素の必要が、全く存在しないのである。前記バネ要素は、好ましくは、その脚部の開放方向においてプレテンションを掛けられる好ましくはＵ字形に曲がったクリップ・バネの形態を採るものであり、その開口は、バネ自身のストッパ部材によって限定される。それらの脚部を圧縮するために十分な負荷の下において、そのようなバネ要素は、実質的に剛直であり即ち寸法的に安定しているが、それらの脚部は、力の限界を越えて圧縮されることも可能である。前記バネ要素の自己拘束性のために、即ち前記バネ要素の中に組み込まれる通路の限定を実行するためには、例えば脚部であるバネ部分に対して取り付けられる少なくとも１つのフックを設けることが可能であり、前記フックは、特には曲がるストラップ又は棒材の形態を採ることが可能である。後者は、もう１つのバネ部分即ち脚部に設けられる突起の背後に係合することが可能である。前記ストッパ部材の上における例えば直線的であるか又は点状の接触面である好ましくは小さな表面が存在するので、前記ストッパ限定状態における前記バネの長さ又は幅は、非常に正確に規定され得るものであり、前記バネ要素の複数の過負荷及び後続の解放の場合においてさえも、再現可能に留まることになる。
【００１０】
バッファ・レバー・サブアセンブリと呼ばれることも可能である負荷従属的にクッション処理され即ち減衰される力伝達手段が、特にはバネ薄板金湾曲部分である単一の一体的な構成要素である場合には、特に容易に組立て可能であり且つ機能的に確実である構造が達成される。それは、レバーとして機能する部分と、特には自己拘束的なクリップ・バネを形成する部分であるショック・アブソーバとして機能する部分との両方を有することが可能である。前記レバー又はレバー部分は、Ｌ字形状を有することが可能であり、例えば、互いに横方向に離間されてナイフ・エッジ軸受けを形成する２本の支持脚部を有する。それらの支持脚部の間には、前記ショック・アブソーバを形成する自己限定式のバネ要素が、好ましくは対称的に設けられ、例えばクリップ・バネの一方の脚部が、両側に隣接する支持脚部と共に、三叉のフォーク構成を形成し、それらの対応する突起は、減衰式のロッカーを形成すべく反対方向に対応して曲げられる。前記フォーク部分の横方向に突出する突起は、その後、丸く曲げられた保持ストラップによって、前記Ｕ字形クリップ・バネの他の脚部の側面において背後に係合され得ることになり、結果として、後者の自己拘束性が達成されるのである。
【００１１】
前記膨張ユニットが温度液圧膨張システムの膨張カプセル即ちダイアスタットを含んで成る場合には、永続的に機能的に確実なものである温度スイッチが、特に形成され得ることになる。本発明の結果として、特には前記ダイアスタットである前記膨張ユニットは、前記温度スイッチが組み立てられた状態にあるとき、前記バッファ・レバー・ユニットに対して、或いは前記スイッチ・ケーシングに弾力的に取り付けられた絶縁体に対して接続されずに係合接触することが可能である。実際の接触は、ネジ又はハンダ付け接合部のような独立した接続手段を有する必要なしに、前記スイッチを設置する際に形成されることが可能である。そのような温度スイッチは、任意の欠陥部品を交換するために等しく容易に分解されることも可能である。
【００１２】
前記力伝達手段と前記膨張要素の任意選択的な充電部の間における電気的な絶縁は、前記バッファ・レバー・サブアセンブリが、特にはセラミックである電気絶縁材料から形成される好ましくは圧力剛性の絶縁体によって、前記膨張ユニットの上において支持されるように成して、都合良く達成されることが可能である。前記絶縁体は、取外し可能であるか又は取外し可能でない様式において前記サブアセンブリに対して取り付けられることが可能であり、後者と共に設置されることも可能である。前記絶縁体は、例えば、クリップ・バネによって前記ケーシングに対して取り付けられ、結果として前記ケーシング・アセンブリの一部を形成するようにして、特には弾力的に、移動され得るものであることも可能である。
【００１３】
２枚の皿形状の薄板金薄膜及び毛管のための中央ニップルを備えた同じく実行可能なダイアスタットの代わりに、平坦な薄膜が利用され、前記毛管が、前記カプセルの周囲エッジの近傍において、独立したニップルを必要とすることなく後者の内部に対して実質的に半径方向へ直接に進入するように成した場合には、特に平坦であり即ち浅いものである構造形式が、達成され得ることになる。
【００１４】
前記ショック・アブソーバ及び力伝達手段又はレバー機構が単一の一体的な構成要素を形成するそれらの実施例とは二者択一的に、前記ショック・アブソーバは、前記力伝達手段に対して確実に接続され或いは接続され得る要素であることも可能であり、前記温度スイッチの組立てに先立って、前記ショック・アブソーバは、好ましくは取外し可能でない様式で、特にはロッカー・レバーである前記力伝達手段に対して、例えばリベット継手又は溶接によって接続される。好ましくは長さが可変である前記ショック・アブソーバ要素は、圧力要素として構築されることが可能であり、前記圧力要素は、意図された限界の力の下における圧縮荷重の場合には、実質的に寸法が安定したものであり、前記限界の力の上では可逆的に且つ好ましくは伸縮的に圧縮可能なものである。例えば、互いの背後に係合して、プレテンションが掛った圧縮バネを取り囲む２つのカプセル部分を備えて、一方のカプセル部分が前記ロッカーに対して取り付けられるように成した、ドイツ特許出願１９６ ２７ ９６９号から公知である３部分式のバッファ要素を使用することも可能である。
【００１５】
これらの特徴及びその他の特徴は、請求項、明細書及び図面から収集され得るものであり、それらの個別的な特徴は、単独で或いは副次的な組合せの形態を採って、本発明の１つの実施例及びその他の分野において実行されることが可能であり、有益な構造を提示し得ることになる。本件出願を個別的なセクション及びサブタイトルに再分することは、そこで為された前記陳述の全般的な妥当性をいかなる意味でも限定するものではない。
【００１６】
【実施例】
本発明の実施例は、添付図面に関連して、以下で更に詳細に説明される。
【００１７】
図１は、長手方向断面図であり、温度液圧膨張システム２と協働するように成した、温度調節器１の第１の実施例のスイッチング構成要素を示している。前記膨張システムには、膨張流体を満たされた管の形態を採るものとして概略的に示された温度用のセンサ３が所属し、前記センサは、毛管４によって、膨張カプセル即ちダイアスタット５の形態を採る膨張要素（膨張ユニットともいう）に対して接続される。前記ダイアスタットは、２枚の皿形状の波形薄板金薄膜を含んで成り、それらの薄膜は、それらの上向きに曲がったエッジにおいて溶接又はハンダ付けによって気密な様式で相互に接続される。前記ダイアスタットの前記皿の中に位置決めされたニップル６によって、前記毛管４は、前記波形薄板金の皿の間に形成されたキャビティの内部に対して接続される。前記ニップル６の頂部には、保持ボルト７が、それと共に一体的に設けられていて、中空の制御シャフト８の中に係合する。後者は、スリーブ１０の中に設けられた内側ネジと協働する外側のネジ９を有するものであり、前記スリーブは、ボックス形状の金属製のケーシング１３の頂部１２において、後者と共に一体的に構築される。前記制御シャフト８は、一方の側面において平坦化され、回転しない様式で制御ノブを受容する。後者の中には、前記保持ボルト７の上においてその垂直方向の調節のために機能する止めネジ１４が設けられる。
【００１８】
前記ケーシング１３は、薄板金によって形成され、部分的に切り欠かれた矩形のボックスの形態を採るものであり、その頂部には、前記温度調節器の設置のための取付けクランプ１５が形成される。前記ケーシングの下面は、例えばステアタイト又はその他のセラミック材料である寸法的に安定した温度耐性の電気絶縁材料から成るベース１６の部分によって形成される。前記ケーシング１３は、捩じれストラップ１７によって前記基部すなわちベース１６に対して取り付けられる。
【００１９】
プレート状の基部すなわちベース１６は、スナップ・スイッチ２０を担持するものであり、前記スナップ・スイッチは、スイッチ・バネ支持体２２に対して取り付けられるように成したスイッチ・バネ２１を有する。前記スイッチ・バネ支持体２２は、比較的小さくて頑丈な薄板金部分であり、前記薄板金部分は、上向き湾曲部の形態を採るストッパ・部材２３として機能するスイッチ・タング・アバットメント（突起ともいう）を有する。前記スイッチ・タング・アバットメントの上では、スイッチ・タング２４が支持され、前記スイッチ・タングは、ほぼＵ字形状の凹みによって残りのスイッチ・バネから分離される。その外側への湾曲と、それが前記スイッチ・バネに対して付与するプレテンションとの結果として、リベット留めによって前記スイッチ・バネ支持体に対してその接点離間端部によって取り付けられる後者は、２つの安定したスイッチング位置の間のそのスイッチング・ポイントにおいて前記スイッチ用の接点２５を支持するその前方端部によって曲がってスナップ係合することが可能である。図１で示されたオフ位置では、前記スイッチ・バネの前方端部は、前記基部から飛び出して形成されたカウンタアバットメント形成用の突起２６の上に係合する。オン位置では、前記接点２５は、カウンタの接点２７の上に係合するものであり、前記カウンタの接点は、前記バネによって提供される圧力によってカウンタの接点ブリッジ２８の上に配置される。
【００２０】
前記スナップ・スイッチ用のスイッチ・バネ支持体２２及びカウンタの接点ブリッジ２８は、Ｕ字形状の構造によって取付けストラップを形成するものであり、前記取付けストラップは、一方では捩じれストラップ２９として構築され、他方では、前記プレート状基部の下面に対する電気的接続をも提供するように成した、捩じれ取付けされる平坦なプラグ・タング１９として構築される。
【００２１】
前記スナップ・スイッチ２０は、力伝達手段として機能するレバー機構３０によって前記膨張要素の一形態であるダイアスタット５に対して力伝達様式で機械的に連結されるので、事前決定され得る垂直方向の量を越えた前記膨張要素の一形態であるダイアスタット５の膨張は、接点２５，２７の開放を導くことになる。前記レバー機構３０は、クッション処理され即ち減衰されるロッカー３１を含んで成るものであり、前記ロッカーの構造は、図２から図４に関連して説明されることになる。それには、セラミックの絶縁体ノブ３２（絶縁体の一形態）が随伴され、前記絶縁体ノブは、前記ロッカーの頂部に対して取り付けられ、点状の接触ポイントにおいて前記ダイアスタット５の下面に対して取り付けられる金属ディスク３５の大きな表面積の平坦な下面３４の中心において、その上向き球形に湾曲した頂部３３（支持面の一形態）によって支持される。前記ロッカー３１の垂直方向に突起する締付け用のストラップ３６の上に係合される前記セラミック製の絶縁体ノブ３２の圧力剛性な電気絶縁材料は、前記ロッカー３１に対する前記ダイアスタットの底部の垂直方向運動の厳格な伝達を保証し、前記スナップ作用機構としてのスナップ・スイッチ２０，レバー機構３０及びダイアスタット５の充電部の間における必要な電気絶縁を形成する。前記ダイアスタットの上向きに曲がったエッジは、前記スナップ作用機構と前記膨張システムの間における十分な電気的離間距離の維持を支援するものでもある。前記金属ディスク３５の平坦な下面によって設けられる絶縁体ノブ３２の凸頂部のための大きな表面積の平坦な接触面は、前記調節器の圧力比が前記ダイアスタットの小さな位置公差から影響を与えられず、従って前記調節器のスイッチング精度が、前記ダイアスタットの小さな位置公差から影響を与えられないことを、保証する。
【００２２】
一体的なバネ鋼湾曲部分として構築される前記ロッカー３１は、前記力の伝達と超過圧力の保護という枠組みの範囲内において幾つかの機能を果たすものである。それは、力を伝達する伝達レバーとして機能する実質的にＬ字形状のレバー４０の部分と、ショック・アブソーバとして機能し、それと共に一体的に構築されるように成したＵ字形状のクリップ・バネ４１（バネ要素の一形態）とを含んで成り、前記バネの脚部４２，４３は、前記クリップ・バネの開放方向においてプレテンションを掛けられるものであり、前記ストッパ部材によって限定される事前決定された垂直方向の最大量まで開放し得ることになる。結果として、それは、統合された過負荷減衰手段を備えた一体的なロッカーなのである。
【００２３】
明確に規定された圧力比を形成するために、前記レバー又はレバー４０の部分は、中央のトロイダル・エンボシング即ちスタンピング４５を設けられるレバー・アーム４６を有するものであり、前記スタンピングによって、それは、点状の様式において、前記スイッチ・バネの横断方向に案内されたビードの上における作動ポイント４７の上において機能する。その長さよりも幅が広い前記レバーの反対側の端部には、直角に下向きに曲げられて、大きな横方向の間隙を有するように成した２本の支持脚部４８，４９が設けられ、それらの下側端部は、それらが前記基部すなわちベース１６の表面において支持されるようにして、ナイフ・エッジ軸受け５０を形成する。図３において理解され得るように、前記支持脚部４８，４９の湾曲した下側エッジの結果として、明確に規定された支持条件が達成されるということが保証されるのである。
【００２４】
それらの２本の支持脚部は、いずれかの側から、各々の場合に、前記スイッチ・バネ支持体２２の横方向エッジの中における１つの凹部の中に突出するので、前記脚部は、その中において案内される。前記支持脚部４８，４９の内側における突出したノーズ５１は、かえし状の構造を有するものであり、前記レバー４０が圧力を受けて上から前記凹部の中に押し込まれた後に、前記レバーが持ち上げられないことを保証するのである。
【００２５】
前記レバー・アーム４６の上向きにズレたＳ字形状の前方端部の下には、設置された前記ロッカー３１のレバー（図１）によって、ストッパ・部材２３として機能するスイッチ・タング・アバットメントが配置され、前記スイッチ・タング・アバットメントは、前記レバー・アーム４６のための垂直方向のストッパを形成する。前記レバーの形状とストッパの高さは、互いに整合されるので、前記スイッチ・バネの上において機能するレバー・アーム４６は、前記スイッチ・バネに関するスイッチング・ポイントを克服した後に、前記ストッパ部材２３の上において直接に支持されるものであり、結果として、前記接点は、前記スイッチ・バネが、その弾性範囲を越えて過剰に圧力を付加し及び／又は前記スイッチ・バネ支持体２２又は基部すなわちベース１６の上に押し付けられる前においてのみ、図１で示されたように開放されることになる。前記レバー運動のストッパ限定の結果として、前記スイッチ・バネのための非常に効果的な超過圧力保護が設けられるのである。そのような超過圧力保護は、例えばドイツ特許出願１９６ ２７ ９６９号に従ったものであるその他の温度スイッチの中に設けることもまた実行可能である。
【００２６】
前記ロッカー３１は、その全体の力負荷範囲に渡って実質的に剛直である従来的なレバーではないが、その代わりに、所定の位置では、事前決定され得る力の限界の下において実質的に圧力剛性であり即ち寸法的に安定しているが、前記限界の上では寸法的に可変であり即ち可撓性であることになり、前記ダイアスタット５によって生起される力の前記レバー・アーム４６及び／又は前記スイッチ・バネからの所定の分断を許容するのである。このクッション処理機能は、ストッパ限定される様式で開放する前記クリップ・バネ４１によって達成されるものであり、自己拘束式即ち自己限定式のバネ要素を形成することになる。対称的な圧力比を形成するために、前記クリップ・バネ４１は、前記支持脚部４８，４９の間において対称的に配置される。前記スタンピング４５に移行する幅広な補強波形５２によって湾曲に対して安定化される下側の脚部４２は、前記レバー・アーム４６の平坦な一体的延長部分である。Ｕ字形の湾曲部５３により、前記下側の脚部４２は、押込み波形５４によって安定化される上側の脚部４３に移行するものであり、前記上側の脚部は、前記バネを完全に開放する（図１から図３）前記下側の脚部に対して平行であり、前記締付け用のストラップ３６は、前記上側の脚部４３から中央において上向きに曲げられる。
【００２７】
前記ストラップ３６の下の領域内における前記上側の脚部４３の自由端部の近傍では、横方向にＵ字形の湾曲したストラップ５５，５６（フックの一形態）が形成され、前記ストラップは、図示されたように垂直方向下向きに湾曲した状態において、前記レバー・アーム４６の矩形の横方向の突起５７，５８の背後に係合する。図２ｂにおいて理解され得るように、特定の突起５７の背後に係合する前記湾曲したストラップ５５の部分は、前者に対して凸状に湾曲されるので、前記バネがストッパ限定される様式で完全に開放しているとき、前記湾曲したストラップ５５は、前記突起５７の下面における点状又は線状の接触ポイント５９において、小さな表面積の様式に従って支持されるだけである。その精密な支持作用の結果として、前記ロッカーの正確な垂直方向高さ（前記レバー・アーム４６に対して垂直である）は、再現可能に、この領域の中において存在することになる。
【００２８】
その脚部の開放方向において、前記クリップ・バネ４１は、前記力の限界よりも明確に高いプレテンションを有するものであり、前記プレテンションは、前記スイッチ・バネの作動力がそのスイッチング・ポイントに到達したときに、前記ストラップ３６又は突起５７，５８の近傍において脚部の長手方向に対して実質的に垂直に作用する。バネ強度のこの規定は、前記ダイアスタット５による圧縮負荷の場合に、前記クリップ・バネ４１が、前記スイッチ・バネの前記スイッチング・ポイントが克服されて前記接点２５，２７が開放してしまうまでは、寸法的に剛直な力伝達要素として十分な時間に渡って機能するということを保証する。前記クリップ・バネ脚部の上においてこれを越えて拡大する力は、前記脚部の圧縮をもたらすことが可能であり、前記ダイアスタット５とスイッチ・バネの間における力の流れの中には、超過圧力が全く生じないことを保証する可逆的な可撓性が存在することになる。
【００２９】
温度調節器を本発明に従って取り付けることは、特に容易である。何故なら、前記基部すなわちベース１６に対して前記スナップ作用機構としてのスナップ・スイッチ２０，レバー機構３０を取り付けるためには、単純な差込み及び湾曲のプロセスを実行することだけが必要であり、前記ダイアスタット５に対する前記スナップ作用機構の接続は、前記金属ディスク３５の大きな面積の平坦な下面３４と前記絶縁体ノブ３２のカップ形状の頂部３３との間における単純な係合接触のみによって達成されるからである。前記力伝達手段に対する前記ダイアスタットの僅かな横方向の位置的不正確さの場合においてさえ、前記スイッチング比率は、実質的にいかなる変化をも経験しないのである。
【００３０】
前記完成したスナップ作用機構は、前記基部すなわちベース１６に対してサブアセンブリとして事前取付けされることが可能である。この目的のために、前記スナップ・スイッチの各部分は、対応するスロットの中に挿入して、前記平坦なプラグ・タング１９及び捩じれストラップ１７，２９を回転させることによって、前記基部すなわちベース１６に対して取り付けられる。一体的な薄板金湾曲部分として容易に処理できる前記ロッカー３１は、前記スナップ・スイッチ支持体に被せて上から押圧され、前記ノーズ５１によって生起されるスナップ固定作用によってそこに係止される。前記絶縁体ノブ３２は、前記ロッカーが取り付けられる前又は後において、前記締付け用のストラップ３６の上に取り付けられることが可能である。前記ストラップ３６の持上がり即ち持上げを防止するための固定は、不要である。何故なら、組立て状態及び前記組み立てられたスイッチの操作において、前記絶縁体ノブ３２は、圧縮的にのみ負荷を受けるからである。
【００３１】
充填されてハンダ付けされたセンサ／毛管／ダイアスタット５の組立体は、前記保持ボルト７に対して取り付けられる。標準的な膨張要素即ちダイアスタットを使用することも実行可能である。何故なら、前記膨張ユニットは、前記絶縁体ノブ３２のために圧力表面を設けるという必要のため以外では、前記スナップ作用機構に対して構造的に適応される必要がないからである。
【００３２】
セッティング及び調節は、止めネジ１４によって行われる。操作において、前記制御シャフト８は、所定の温度をセッティングすべく回転されるので、前記ネジ９，スリーブ１０によって、前記ダイアスタット５は、前記制御シャフトの軸６０に沿った所定の位置に引き込まれることが可能である。このセッティングの結果として、前記スイッチ・バネ２１は、多かれ少なかれプレテンションを掛けられ、そのスイッチング・ポイントから可変の距離まで持っていかれるのである。
【００３３】
温度用のセンサ３を加熱すると、その中に入れられた前記膨張流体は、膨張して前記ダイアスタット５を膨らませるので、前記金属ディスク３５は、下向きに移動し、前記レバー・アーム４６は、前記スイッチ・バネを介して加えられた力に対向して逆時計廻り方向にピボット旋回される。
【００３４】
前記スイッチ・バネは、その無負荷状態において、その外側端部が前記カウンタの接点２７の上における接点２５と係合して、前記スイッチが閉鎖されるようにして、支持される。前記平坦なプラグ・タングによって接続される前記回路は、前記スナップ・バネによって閉鎖され、前記スイッチが、オンに切り替えられるのである。
【００３５】
ここで、前記スイッチ・バネが前記突起２６の廻りにスナップ係合して、その上に載置されるまで下向きに移動されるようにして、前記スイッチング・ポイントが超過されるならば、前記スイッチは、オフに切り替えられる。前記レバー及びその対応する圧力ポイントの寸法設定及び配置の関数として、作動位置すなわち作動ポイント４７におけるこのスイッチング・ポイントにおいて作動力が生じると、前記クリップ・バネの脚部４２，４３を圧縮するように仕向けられる限定的な力が存在することになる。前記ストラップ３６の近傍において前記脚部に対して垂直に作用し、前記ナイフ・エッジ軸受け５０に対して転位されるように成した前記力は、前記脚部４２，４３を圧縮することなく、前記クリップ・バネ４１によって伝達され、結果として、前記ロッカーの全体が、剛直な作動要素として機能するのである。
【００３６】
前記接点２５，２７の開放に続く標準的な操作では、前記ダイアスタットの更なる大きな膨張が、生じることはない。何故なら、前記調節器が、作動されてしまって、前記センサ３の上において作動する任意の電気加熱器又はその他の手段の加熱は、結果として標準的にオフに切り替えられるからである。図示されていない作動ノブによって前記制御シャフト８を回転させることによって、ユーザーが、前記調節器をより低い温度に設定するか、或いはそれをオフに切り替えることを望む場合、前記ユーザーは、前記ダイアスタットをロッカー３１の方向即ち前記オフ方向へ更に移動させることになる。
【００３７】
ここで、前記温度調節器の超過圧力保護装置が、作動を開始する。前記クリップ・バネの上における前記力の限界が超過されない限り、前記脚部４２，４３は、圧縮され得るものではなく、前記クリップ・バネの運動は、純粋に傾斜運動である。前記力の限界は、更なる過負荷の際に、前記レバー・アーム４６が前記ストッパ部材２３の上に載置されるまで、前記スイッチ・バネが初めに更に撓むことが可能であるようにして、設定される。更に、前記スイッチ・バネのこの最大の超過圧力状態では、その上に作用する前記力及び湾曲効果が、未だその弾性範囲内にはないので、永久的な損傷は、何も生じ得ないことになる。更なる増大する膨張において、前記力の限界は、超過され、以前には剛直であった前記クリップ・バネが、弾力的に柔軟なものとなる。前記脚部４２，４３の圧縮において、それは、屈服して、結果として、それ自体と、それを担持する前記膨張ユニット及び温度スイッチの各部とを超過圧力による損傷から保護することになる。前記基部すなわちベース１６又はスイッチ・バネ支持体２２は、前記基部の表面レベルが構造的に未だ十分に低くない場合には、前記ストラップ５５，５６がその中に係合され得るように成した凹部を任意選択的に有することも可能である。前記クリップ・バネの前記最大の超過圧力通路は、前記ストラップの中に開口する前記フレームの高さによって限定されることが可能である。この必要な高さは、続いて、前記薄膜の最大膨張又は最大移動によって事前決定される。
【００３８】
前記過負荷は、例えば設定された前記装置が冷却すると解除され、前記ダイアスタット５は、収縮して、ショック・アブソーバとして機能する前記クリップ・バネ４１は、明確に規定された最大の脚部開放幅を備えるようにして、図１から図３において示されたその初めの形状に復帰する。
【００３９】
従って、前記一体的なロッカー３１によって形成される作動用のレバー４０及びショック・アブソーバとして機能するクリップ・バネ４１のショック・アブソーバ・レバー・ユニットは、その作動状態において非常に圧力剛性なものであり、過負荷の場合にのみ可撓性になるが、その後、その元の形状へと正確に戻るものであり、前記ダイアスタットと前記スナップ・スイッチの間における力伝達手段の伝達部材をも提示する。このショック・アブソーバにおける前記バネ弾性は、スイッチングが既に発生している場合にのみ効力を発揮して、前記スイッチ・バネの過負荷を防止するためにのみ機能するものであるが、任意選択的には、実際の前記ロッカー及び前記膨張ユニットの過負荷をも防止する。
【００４０】
図５において示された温度スイッチ６５の実施例は、図１の実施例と比較して、とりわけ小さい全体の高さを有するものである。基部６６及びスナップ・バネ６７、更には前記一体的なロッカー６８の領域内では図１と比べて変わらない構造を備えているが、この実施例では、より平坦な電気絶縁セラミック・ボディ６９（絶縁体の一形態）が設けられていて、前記電気絶縁セラミック・ボディは、前記温度スイッチが組み立てられるときに、その半球状に湾曲した頂部が金属ディスク７０の平坦な下面と点状圧力接触するものであり、前記金属ディスクは、平坦な薄膜製のダイアスタット７１（膨張ユニットの一形態）の下面に係合することになる。図１の前記ディスク状のダイアスタット５の場合とは違って、前記毛管は、前記平坦な薄膜の平面の中において半径方向へ、当該ダイアスタット７１の平坦な波形の薄板金２分割部分の内部に対して直接に進入する。平坦な薄膜としての前記ダイアスタットの構造と前記毛管７２の横方向への導入との両者は、この実施例のとりわけ小さい全体の高さを支援するために役立つものであり、その組立て及び機能は、その他の点では、図１の実施例と比べて、何も異なるものではない。
【００４１】
図６及び図７において示された温度調節器７５の実施例は、前記ショック・アブソーバ・レバー・ユニットの前記一体的なロッカーの形状によって、更には、前記スナップ作用機構と前記膨張ユニットの間における電気絶縁の設置によって、前述の実施例とは本質的に異なるものである。それは、図１と同様に上向きに湾曲したエッジを備えた膨張ユニットに関連して説明されているが、図５のもののような平坦な薄膜を使用することもまた実行可能である。前記ロッカー７６は、実質的に変わらない前記クリップ・バネの脚部長さを備えて、前述の実施例と比べてＵ字形湾曲部７７に向かって延ばされたレバー部分７８を有するものであり、前記ナイフ・エッジ軸受け７９を形成する前記支持脚部８０，８１は、前記Ｕ字形湾曲部の近傍に向かって前記制御軸８２から転位される。前記制御軸の領域には、上側クリップ脚部の半球状の上向きスタンピング８３（支持面の一形態）が、前記絶縁体のための前記保持ストラップの代わりに設けられている。
【００４２】
前記膨張ユニット８４（ダイアスタットともいう）に対して前記ロッカーを電気的に絶縁する前記絶縁体８５は、前記ロッカーに対しては取り付けられず、その代わりに、図７において断面で示されたクリップ・バネ８６（バネ要素の一形態）によって担持されるものであり、前記クリップ・バネの自由な脚部は、対向して外側に突出する前記ケーシングの水平方向の波形８７，８８の上において支持される。前記絶縁体８５は、平坦な下面８９を有するものであり、それは、前記下面によって前記ロッカーの半球状の上向きスタンピング８３の上において点状の様式で支持され、更には軸方向の盲孔９０をその頂部に設けられ、前記盲孔の中には、前記膨張ユニット８４の前記下面におけるボルト状の垂直方向の出っ張り９１が正確に挿入されるのである。
【００４３】
従って、前記絶縁体８５のノブは、弾力的な薄板金部分として形成されたクリップ・バネ８６によって前記薄膜状の膨張ユニット８４に対して軸方向に押圧されるものであり、前記ケーシングに対するその可動式の取付けによって、前記取付けサブアセンブリである「ケーシング」の一部になることになる。絶縁体を備えた前記クリップ・バネが前記ケーシングの中に挿入され、続いて前記膨張ユニットもまた取り付けられると、前記クリップ・バネ８６によって設けられる上向き軸方向のプレテンションは、前記調節ユニット即ち制御ユニットの近傍において生じ得るいかなる軸方向の離間距離をも排除することが可能であり、前記セッティングの精度を高めることが可能になるのである。
【００４４】
前記調節器を組み立てるときに、前記絶縁体８５の前記平坦な下面８９と摺動面として機能する前記ロッカーの一体的な半球状の上向きスタンピング８３との間における前記制御軸の近傍において、圧力ポイント９２が形成される。機能的に対応する圧力ポイントは、前述の実施例では、前記膨張ユニットの前記平坦な下面と前記絶縁体の半球状の頂部の間に存在する。図６及び図７に拠る実施例では、前記圧力ポイントが、低いものであり、即ち前記ナイフ・エッジ軸受け７９の平面に対して近いのである。前記ナイフ・エッジ軸受けもまた、前記制御軸８２と一致する前記圧力軸から遠く離して取り除かれるので、前記圧力ポイント９２とナイフ・エッジ軸受け７９の間において形成される前記ロッカー７６の前記レバー・アームは、図１から図５に従った実施例における対応するレバー・アームよりも、前記圧力軸に対して例えば６０度という遥かに大きな鈍角を為して配置される。前記スイッチング・ポイントにおいて生じる前記ロッカーの傾斜運動では、図１から図５の実施例と比較して、前記下面８９の上における前記半球状の上向きスタンピング８３の摺動に随伴する横断方向運動の明らかな削減もまた存在することになる。不都合な事例では、互いに対して摺動する部分の傾斜又は引っ掛りによって妨げられる可能性がある前記横断方向運動の削減の結果として、前記調節器のスイッチング精度が、増大され得るのである。
【００４５】
前記ショック・アブソーバとレバー機構の間に形成される前記サブアセンブリの結果として、前記サブアセンブリは、併せて取り付けられることが可能であり、温度調節器の完全な製造は、ダイアスタットを備えて任意選択的には絶縁体をも備える前記ケーシング・サブアセンブリが前記バッファ・レバー標準ユニットに対して独立した取付け手段又は取付け処置によって取り付けられる必要なしに、標準的には前記ケーシングに対して既に取り付けられているケーシング担持式の絶縁体によって任意選択的に絶縁されるように成した前記膨張ユニットの当該バッファ・レバー・ユニットの上に位置的に正しく取り付けることだけによって達成されることが可能であるという、すべての実施例に共通の利点が存在するのである。結果として、すべての実施例において、標準化されたダイアスタットが、使用され得るものであり、それが、製造コストを削減することになる。前記電気的な絶縁は、前記ショック・アブソーバ・レバー・ユニット、前記ケーシング又は前記膨張ユニットに随伴されることも可能である。統合的なショック・アブソーバを備えた前記スナップ作用機構を完全に事前取付けするという可能性は、前記レバーの明確に規定されたピボット取付けの結果として、前記スナップ作用システムの上における作動ポイントが、常に等しく正確であるという利点を導くことになる。前記スナップ作用機構に対する前記制御軸の位置に関する製造公差は、前記ショック・アブソーバ・レバー・ユニットと前記膨張ユニット又は絶縁体の間における大きな面積の平坦な接触面の故に、前記スイッチング精度に対して全く影響しないか、或いは僅かにしか影響を与えないのである。
【図面の簡単な説明】
【図１】  本発明による温度調節器の１つの実施例を示す長手方向の断面図である。
【図２】  （ａ）は、一体的な薄板金湾曲部分として構築されたバッファ・レバー・ユニットの側面図である。（ｂ）は、図２の（ａ）において円で囲まれた領域の拡大詳細図である。
【図３】  図２の前記バッファ・レバー・ユニットの正面図である。
【図４】  図２の（ａ）の線IV−IVに沿った断面における図１の前記バッファ・レバー・ユニットの平面図である。
【図５】  平坦な薄膜膨張カプセル即ちダイアスタットを備えた温度調節器のもう１つの実施例である。
【図６】  異なった一体的バッファ・レバー・ユニット及びそのケーシングに付随する絶縁体を備えるように成した、温度調節器のもう１つの別の実施例の長手方向断面図である。
【図７】  図６の実施例を示す断面図である。
【符号の説明】
１  温度調節器
２  温度液圧膨脹システム
３  センサ
４  毛管
５  ダイアスタット
６  ニップル
７  保持ボルト
８  制御シャフト
９  ネジ
１０  スリーブ
１２  頂部
１３  ケーシング
１４  止めネジ
１５  取付けクランプ
１６  ベース
１７  捩じれストラップ
２０  スナップ・スイッチ
２１  スイッチ・バネ
２２  スイッチ・バネ支持体
２３  ストッパ・部材
２４  スイッチ・タング
２５、２７  接点
２８  接点ブリッジ
２９  捩じれストラップ
３０  レバー機構
３１  ロッカー
３２  絶縁体ノブ
３３  頂部
３４  下面
３５  金属ディスク
３６  ストラップ
４０  レバー
４１  クリップ・バネ
４２、４３  脚部
４５  スタンピング
４６  レバー・アーム
４７  作動ポイント
４８，４９  支持脚部
５０  ナイフ・エッジ軸受け
５１  ノーズ
５２  補強波形
５３  湾曲部
５４  押込み波形
５５，５６  ストラップ
５７，５８  突起
５９  接触ポイント
６０  軸
６５  温度スイッチ
６６  基部
６７  スナップ・バネ
６８  ロッカー
６９  電気絶縁セラミック・ボディ
７０  金属ディスク
７１  ダイアスタット
７２  毛管
７５  温度調節器
７６  ロッカー
７７  Ｕ字形湾曲部
７８  レバー部分
７９  ナイフ・エッジ軸受け
８０，８１  支持脚部
８２  制御軸
８３  上向きスタンピング
８４  膨張ユニット
８５  絶縁体
８６  クリップ・バネ
８７、８８  波形
９０  盲孔
９１  出っ張り
９２  圧力ポイント
【図１】
0004408989.tif 000002
【図２】
0004408989.tif 000003
【図３】
0004408989.tif 000004
【図４】
0004408989.tif 000005
【図５】
0004408989.tif 000006
【図６】
0004408989.tif 000007
【図７】
0004408989.tif 000008